(57)【要約】【課題】迅速に被救助者を不安の中から救出し、一度の救助作業で一人ではなく、できるだけ多くの被救助者を救助することができる救助用ロープを提供すること。【解決手段】水難事故において用いられる救助ロープ１において、救助ロープ１を構成するロープ本体１１と、このロープ本体１上に取付けられ浮力を与える複数のフロート体１２と、このフロート体１２の間のロープ本体１に取付けられる人体の一部を拘束できる複数の救助具１４とから構成する。【選択図】　　　図１
2004122967.tif 000002
【特許請求の範囲】
【請求項１】
水難事故において用いられる救助用ロープにおいて、救助用ロープを構成するロープ本体と、このロープ本体に取付けられ浮力を与える複数のフロート体と、このフロート体の間のロープ本体に取付けられる人体の一部を拘束できる複数の救助具とを備えて構成したことを特徴とする救助用ロープ。
【請求項２】
前記救助具は、ロープ本体に固着された少なくとも１つの腕輪から構成されることを特徴とする請求項１記載の救助用ロープ。
【請求項３】
前記腕輪は、浮輪であることを特徴とする請求項１又は請求項２記載の救助用ロープ
【請求項４】
前記フロート体より基端部寄りロープ本体には少なくとも人体を通す程の環状体が取付けられると共に、該環状体とフロート体との間のロープ本体には複数の救助具が取付けられて構成されていることを特徴とする請求項１乃至請求項３のいずれか記載の救助用ロープ。
【発明の詳細な説明】
【０００１】
【発明の属する技術分野】
本発明は、救助用ロープに関し、さらに詳しくは、災難地点から一度に複数の人を脱出させるための救助用ロープに関するものである。
【０００２】
【従来の技術】
年に数度の水害を経験する我国では、水害をはじめとする水難事故発生も多く、その都度救助活動が行われ、その多くの場合は水難事故に遭遇した人を水中や水面、さらには中州などから引揚げる作業が行われている。
一般的には、一端部を救助者が他端部を被救助者がそれぞれ握って救命用ロープを救助者がたぐり寄せることで被救助者を保護するために用いられる救助用ロープが知られている（例えば、特許文献１参照。）。
【０００３】
また、ヘリコプタを用いた救助作業では、搭乗員による操作によりヘリコプタから救助用ロープが投下され、その救助用ロープは端部に輪形状の救助具が取付けられていて、その救助具に被救助者の身体を通すと共に、両手でロープを握ってぶら下り状態になったところで救助用ロープをヘリコプタへと引揚げて救助するのである。あるいは、被救助者が救助ロープを握ったり、救助具に体を通すなどの動作できない程に体力の消耗が著しい場合には、ロープと共に降下した救助者が被救助者を救助具に結び付ける等してヘリコプタへ引揚げている（特許文献２参照。）。
【０００４】
【特許文献１】
特開２００１−２４６００２（図１２）
【特許文献２】
特開平７−２７７２８９（第１欄２５−３９行、図１１）
【０００５】
【発明が解決しようとする課題】
しかしながら、上述のような救助方法では被救助者が単数の場合には比較的スムーズにその活動が行われるのであるが、複数の場合には被救助者を長時間不安の中に置いておく問題がある。特に、ヘリコプタによる救助作業では、救助作業中ヘリコプタがホバリング状態にあるため、救助の順番待ちをする被救助者に風圧による強風や波、さらには水飛沫の中に被救助者を置いておくことになり、不安を助長する問題がある。
【０００６】
そこで、本発明は、迅速に被救助者を不安の中から救出し、一度の救助作業で一人ではなく、できるだけ多くの被救助者を救助することができる救助用ロープを提供することを目的とする。
【０００７】
【課題を解決するための手段】
上述の目的を達成するためになされた本発明は、水難事故において用いられる救助用ロープにおいて、救助用ロープを構成するロープ本体と、このロープ本体に取付けられ浮力を与える複数のフロート体と、このフロート体の間のロープ本体に取付けられる人体の一部を拘束できる複数の救助具とを備えて構成したことを特徴とする。このような構成を採用することにより、一度の救助作業で複数人を救助することができ、また、複数人が救助具を介してロープ本体を握っても救助用ロープは沈むことがなく、一刻を争う水難救助活動に適している。
【０００８】
また、救助具はロープ本体に固着された少なくとも１つの腕輪から構成されることが好ましい。これにより、握力が弱くロープ本体をしっかり握れない女性、子供、老人等であって、又は、水に濡れてロープが滑りやすい場合であってロープ本体から手が離れても、腕輪を介して体をロープ本体と一体化することができる。さらに、前記腕輪自体にも浮力を与えた浮輪であることが好ましく、これにより、被救助者に対して浮力が作用して水中に沈むことがない。
【０００９】
さらにまた、前記フロート体より基端部寄りのロープ本体には少なくとも人体を通す程の環状体が取付けられると共に、該環状体とフロート体との間のロープ本体には複数の救助具が取付けられ、これにより、より一度の救命ロープの投下により複数人の被救助者を救助することができ、また、環状体を救助者が使用した場合には救助作業の円滑化を図ることができる。
【００１０】
【発明の実施の形態】
以下、本発明の実施の形態について図１乃至図４に基づき説明をする。ここで、図１は本発明に係る救助用ロープによる救助活動を示す概略図、図２は本発明に係る救助用ロープの環状体を示す斜視図、図３は本発明に係る救助用ロープの救助具を示す斜視図、図４は本発明に係る救助用ロープの救助具を使用した状態を示す斜視図を示している。
これらの図において、符号１は救助用ロープを示し、この救助用ロープ１は、長尺のロープ本体１１と、このロープ本体１１の長さ方向の中間部に取付けてある複数のフロート体１２と、環状体１３と、救助具１４とから構成されている。
【００１１】
詳しく説明すると、救助用ロープ１を構成するロープ本体１１は、長尺で軽量、さらには可とう性に優れたものが用いられ、特に、ナイロン樹脂製のものが用いられる。長さは数十メートルにも及び、水にも強く、十分な引張り強度、耐摩擦性に優れたものが選択される。
【００１２】
次に、ロープ本体１１の端末部と、ロープ本体１１上のその中間部には、フロート体１２・・・が適当な間隔で複数個取付けられている。これらのフロート体はロープ本体１１の浮力を向上させ、水面に投下されたロープ本体１１が水中に沈降することのないようにするもので、形状は任意であるが、例えば円形，楕円形状などが用いられ、浮力の大きい中空のプラスチック又は発泡スチロール等により形成されている。
【００１３】
また、最も基端部寄りのフロート体１２よりさらに基端部寄りには、環状で、後述の水難救助作業に示すように被救助者４又は救助者５が使用する環状体１３がロープ本体１１に対して固着された取付け具１３ａ及び取付けロープ１３ｂを介して取付けられている。
【００１４】
この環状体１３は、図２に示すように、被救助者４又は救助者５の体を通すことができる程度の中心孔が必要で、また、人体を宙吊りとする関係からその体重を支持できる強さが必要とされる。このため、ロープ本体１１と同様の素材や、その編物などで形成され、又は、ロープ本体１１とは別の繊維又は合成繊維材、さらには、水に浮く強化発泡樹脂製などが用いられる。
尚、取付け具１３ａはプラスチック、金属により形成され、取付けロープ１３ｂは環状体１３と同様の素材やその織物、又は別の繊維又は合成繊維材により形成されている。
【００１５】
また、フロート体１２の中間、さらには、フロート体１２と環状体１３との中間位置にはロープ本体１１に対して固定された締着機能を持つ取付け具１４ａに取付けられ、これに人体の腕を通すことができる挿通空間をもつ環状の２つの腕輪１４ｂ，１４ｂが取付けられた救助具１４が適当な間隔で複数取付けられている。
【００１６】
さらに詳しくは、図３に示すように、この救助具１４を構成する腕輪１４ｂ，１４ｂは、被救助者４が腕を通すため人の腕が入る程度の直径を有しており、ロープ本体１１に固着されたプラスチック、金属製の取付け具１４ａに取付けられている。また、この腕輪１４ｂ，１４ｂは、形状としては不定形のものであっても良いが、パニック状態でも確実に被補助者が腕を通したり、少なくともこれを掴んだりできるようにするためにある程度定形状のものが良い。さらに材質としては、人体の皮膚を損傷しないもの、例えばナイロンや、軟質材で被われた金属製、繊維材を束ねたものが用いられる。さらに、腕輪自体にも浮力を与える浮輪を用いることもできる。
【００１７】
なお、本実施形態においては、２つの腕輪１４ｂ，１４ｂを持つ救助具１４を例にあげて説明しているが、腕輪の数は少なくとも一つ、あるいはそれ以上あれば良く、被救助者の腕など、好ましくは２本の腕を拘束することを目的としていて、最低でも片手を通して体を拘束できるものであれば良い。
【００１８】
次に、本発明に係る救助用ロープ１を用いた水難救助作業について説明する。水難事故の発生により、同時に救助を求める人（被救助者４）が複数いる場合、水難事故が発生した地点にヘリコプタ２が向い、現地に到着するとヘリコプタ２をホバーリング状態としたところで、搭乗員６による操作によってヘリコプタ２から救助用ロープ１が水面３へ投下される。そして、投げられた救助用ロープ１はそのロープ本体１１上に取付けたフロート体１２により水中に沈降することなく水面３上に浮くことになる。
【００１９】
複数の被救助者４・・・は、水面３上に浮く救助用ロープ１の身近な救助具１４の腕輪１４ｂ，１４ｂに両腕を通して、できれば二の腕まで通して手によりロープ本体１１を握る。この腕輪１４ｂ，１４ｂによって、被救助者４・・・はロープ本体１から手を離した場合であっても救助用ロープ１と一体化する（図４参照。）。
なお、救助用ロープ１はフロート体１２により浮力が与えられているので、一度に複数人が救助具１４を介してロープ本体１１を握っても救助用ロープ１及び被救助者４・・・は水中に沈むことはなく、また、腕輪１４ｂ，１４ｂが浮輪である場合には、被救助者に対してより一層の浮力が作用することになる。
【００２０】
また、被救助者４・・・のうち１人は、環状体１３を頭から被って脇下迄胴体を通すことにより、宙吊り状態としても人体と救助用ロープ１とを一体化でき、救助具として用いることもできる。また、この環状体１３は救助者５が胴体を通すことにより、救助者５がヘリコプタ２から水面３に降下して救助活動を行うために用いることもできる。
【００２１】
このようにして、被救助者４・・・を救助用ロープ１の救助具１４を介してロープ本体１を握らせた後、ヘリコプタ２は救助用ロープ１を引揚げることなく、少なくとも浅瀬まで曳航して一度に複数人を救助することができる。
そして、被救助者４も水中から浅瀬まで救出されればパニック状態から脱出でき、その後、被救助者４・・・を逐次ヘリコプタ２に引揚げて救助する。
【００２２】
なお、上記の水難救助作業の説明においては、ヘリコプタ２を用いた作業を説明したが、本発明に係る救助用ロープ１はヘリコプタのみならず救助船舶等から救助ロープを発射するなどの救助作業に用いることもできる。
【００２３】
【発明の効果】
以上の説明から明らかなように、本発明に係る救助ロープは、救助用ロープを構成するロープ本体と、このロープ本体に取付けられ浮力を与える複数のフロート体と、このフロート体の間のロープ本体に取付けられる人体の一部を拘束できる複数の救助具とを備えて構成したことから、ロープ本体は水上に浮き、被救助者がこれを捕らえることが容易となり、さらに、一度の救助作業で複数人を救助することができ、少なくとも河川などにおいては被救助者を浅瀬に移動させることができる。また、複数人が救助具を介してロープ本体を握っても救助用ロープは沈むことがなく、一刻を争う水難救助活動に適している。
【００２４】
さらに、救助具はロープ本体に固着された少なくとも１つの腕輪から構成されることから、握力が弱くロープ本体をしっかり掴めない女性、子供、老人等であって、また、水に濡れてロープが滑りやすい場合であって、ロープ本体から手を離しても腕輪に腕を通したり握ったりすることで体を水面に浮上させることができる。さらにまた、前記腕輪を浮輪で構成することにより、一層浮力が増加して被救助者は水中に沈むことがない。
【００２５】
また、前記フロート体より基端部寄りロープ本体には少なくとも人体を通す程の環状体が取付けられると共に、該環状体とフロート体との間のロープ本体には複数の救助具が取付けられて構成されていることにより、一度にヘリコプタまで救出できなくとも浅瀬まで曳航して一次的に救助することができ、より多くの被救助者を救助することができ、また、環状体を救助者が使用した場合には救助作業の確実化を図ることができる。
【図面の簡単な説明】
【図１】本発明に係る救助ロープによる救助活動を示す概略図である。
【図２】本発明に係る救助用ロープの環状体を示す斜視図である。
【図３】本発明に係る救助用ロープの救助具を示す斜視図である。
【図４】本発明に係る救助用ロープの救助具を使用した状態を示す斜視図である。
【符号の説明】
１　　救助ロープ
１１　ロープ本体
１２　フロート体
１３　環状体
１３ａ　取付け具
１３ｂ　取付けロープ
１４　救助具
１４ａ　取付け具
１４ｂ　腕輪
２　　ヘリコプタ
３　　水面
４　　被救助者
５　　救助者
６　　搭乗者
【図１】
2004122967.tif 000003
【図２】
2004122967.tif 000004
【図３】
2004122967.tif 000005
【図４】
2004122967.tif 000006